(57)【要約】【課題】本発明は、アームレストとしての剛性を確保しつつ、側面衝突時には十分な衝撃吸収性能がもたらせられる車両のアームレスト構造を提供する。【解決手段】本発明は、車室内へ突き出す支持座１２に一端が載置され他端が車室内へ突き出るアームレスト上面部１４、アームレスト上面部１４から下方へ延びるアームレスト側面部１５を設け、コーナー部１８近傍に折れ曲げ起点部１９を設け、展開の際、アームレスト上面部１４を上方へ移動させる促進部２１ａ〜２１ｄを設け、インナパネル面４ｃ、アームレスト上面部１４、アームレスト側面部１５で囲まれる空間に衝撃吸収部材２８を設けて、通常時、アームレストとしての必要な剛性を確保し、側面衝突時、アームレスト上面部１４、アーム側面部１５の展開による荷重入力方向（横方向）の断面形状の急激な破断で、初期の衝撃荷重を吸収し、続く衝撃吸収部材の変形でその後の衝撃荷重を吸収する。【選択図】    図２
2004291829.tif 000002
【特許請求の範囲】
【請求項１】
車室の内壁面から車室内側に突き出るアームレストを備えた車両のアームレスト構造において、
前記車室の内壁面から車室内へに突き出るように形成された支持座と、
一端部が前記支持座に載置され他端部が車室内側へ突き出て前記アームレストの上面部を形成するアームレスト上面部と、
前記アームレスト上面部の他端部から下方へ延びて前記車室の内壁面へ至り、前記アームレストの側面部を形成するアームレスト側面部と、
前記アームレスト上面部と前記アームレスト側面部とが連結する連結部または該連結部の近傍に形成され、前記アームレストの側部へ車室内側から所定値以上の荷重が入力されると、前記アームレスト上面部の折れ曲げを誘発させる折れ曲げ起点部と、
前記折れ曲げ起点部の折れ曲がりの際、前記アームレスト上面部の一端部の上方への移動を促す移動促進手段と、
前記車室の内壁面と前記アームレスト上面部および前記アームレスト側面部とで囲まれる空間内に配設され、前記アームレストの側部から入力される衝撃を緩衝する衝撃吸収部材とを有することを特徴とする車両のアームレスト構造。
【請求項２】
前記折れ曲げ起点部は、前記コーナー部または前記コーナー部近傍の壁面を切欠した切欠部で形成されていることを特徴とする請求項１に記載の車両のアームレスト構造。
【発明の詳細な説明】
【０００１】
【発明の属する技術分野】
本発明は、車室の内壁面にアームレストを設けてなる車両のアームレスト構造に関する。
【０００２】
【従来の技術】
自動車の多くは、車室の一部を形成している本体の内面側にアームレストを設けて、乗員の腕を休ませられるようにしてある。
【０００３】
通常、こうしたアームレストには、車室の内壁面となる本体の内面から平盤状に壁部を張り出し、同壁部の端部を下方の内壁面へ延ばすという、略断面が逆Ｌ字形の壁構造が用いられ、上壁部分の上面に乗員の腕が載せられる構造にしてある。
【０００４】
ところで、アームレストは、端部が車室内へ突き出る部材が自動車に装備される都合上、快適に乗員が休められるよう腕の重さを支えるのに十分な剛性（下方向に対する剛性）の確保と、側面衝突時に車室内へ突き出たアームレストの端部が乗員に衝撃を与えないようにする措置が求められる。
【０００５】
そこで、これらを両立するために、例えばドアトリムにアームレスト用開口を形成し、中空のボックス形のアームレストを用い、同アームレストをドアトリムの裏面から該ドアトリムに形成したアームレスト用開口から車室内へ突き出し、アームレストの基端部に形成された段差部の有るフランジ部をドアトリムの裏面に溶着するアームレスト構造を採用して、通常時はフランジ部による支持で乗員の腕を支えるのに必要な剛性を確保し、側面衝突時は、乗員と当たることで加わる車室内方向からの荷重により、アームレストの基端部がドアトリムから脱落、さらには段差部での応力集中による変形で、フランジ部、さらにアームレストの基端側へと進む変形を進行させて、衝撃力の緩和する技術が提案されている（例えば特許文献１を参照）。
【０００６】
【特許文献１】
特開平１１−２８６２３２号公報
【０００７】
【発明が解決しようとする課題】
ところが、このようなアームレストのフランジ部、周壁部に変形を順次拡大させて衝撃力を吸収する構造は、アームレストの座屈の変形に依存しているので、衝撃吸収に必要な剛性の低下には限度がある。このため、十分な衝撃力の緩和が期待できない問題がある。
【０００８】
そこで、本発明の目的は、アームレストとしての剛性を確保しつつ、側面衝突時には十分な衝撃吸収性能がもたらせられる車両のアームレスト構造を提供することにある。
【０００９】
【課題を解決するための手段】
請求項１に記載の発明は、前記目的を達成するために、アームレスト構造には、車室の内壁面から車室内側へ突き出る支持座を設け、同支持座に一端部が載置され他端部が車室内側へ突き出るアームレスト上面部、アームレスト上面部の他端部から下方へ延びて前記車室の内壁面へ至るアームレスト側面部を設け、アームレスト上面部とアームレスト側面部とが連結する連結部または該連結部の近傍に、アームレストの側部へ車室内側から所定値以上の荷重が入力されると、アームレスト上面部の折れ曲げを誘発させる折れ曲げ起点部を設け、折れ曲げ起点部の折れ曲げの際、支持座に載置されているアームレスト上面部の一端部の上方への移動を促す移動促進手段を設け、車室の内壁面とアームレスト上面部およびアームレスト側面部とで囲まれる空間内にアームレストからの衝撃を緩衝する衝撃吸収部材を配設した構造を採用した。
【００１０】
同構成により、通常時は、アームレスト上面部が支持座、アームレスト側面部で支えられるので、アームレストとしての必要な剛性が確保される。
【００１１】
また側面衝突時は、十分な衝撃吸収性が発揮される。すなわち、例えば車室内へ突き出たアームレストの側部に所定値以上の荷重が加わり、折れ曲げ起点部の剛性がその荷重に耐えられなくなると、アームレスト上面部は折れ曲げ起点部を支点とした折れ曲げが生じ、アームレスト上面部の展開が誘発される。一方、アームレスト上面部の一端部は、移動促進手段により、上方へ移動され、アームレスト上面部の展開を加速度的に促す。この展開により、アームレストの荷重入力方向（横方向）の断面形状は急激に破断され、アームレストの剛性は急激に低下し、初期の衝撃荷重を吸収する。続いてアームレスト上面部およびアームレスト側面部が大きく変形する。このときのアームレスト上面部やアームレスト側面部が偏平状になるまでの変形を利用して、衝撃吸収部材は、その後の衝撃荷重を吸収する。これにより、座屈変形では奏し得ない、荷重入力方向（横方向）の大きな断面形状の変化を利用して、十分に衝撃力が吸収される。
【００１２】
それ故、乗員の腕を載せるに必要な剛性の確保と、側面衝突時の十分な衝撃吸収性能との双方が確保される。
【００１３】
請求項２に記載の発明は、前記目的に加え、さらに簡単かつ衝撃荷重の調整が可能な構造で、効果的に初期の衝撃荷重の吸収が行えるよう、折れ曲げ起点部には、コーナー部またはコーナー部近傍の壁面を切欠した切欠部で形成したことにある。
【００１４】
【発明の実施の形態】
以下、本発明を図１ないし図４に示す第１の実施形態にもとづいて説明する。
【００１５】
図１中１は自動車（車両）の車体、２は同車体１内に形成される車室、３は車体１の側部に開閉自在に設けられたドアを示している。
【００１６】
ここで、ドア３の本体３ａは、例えばドアアウタパネル４ａとドアインナパネル４ｂとを組み合わせてなる偏平箱形のドアパネル部５と、同ドアパネル部４の上部に組付けた枠形のサッシュ部４とを有して構成してある。この本体３ａのうち、図２および図４に示されるように車室２に臨む内壁面となるインナパネル面４ｃには、例えば全体に渡り、例えば合成樹脂製のドアトリム６が装着されている。そして、トリム面６ａ（ドアトリム６の車室２内に臨む面）のうち、例えば中段の地点には、例えば合成樹脂製のアームレスト１０が形成されている。図２にはこのアームレスト１０のＡ−Ａ線に沿う断面が示され、図３にはアームレスト１０のＢ部を拡大した図が示されている。
【００１７】
アームレスト１０について説明すると、アームレスト１０が形成されるドアトリム６のトリム面６ａの中段部分には、車体前後方向に延びる細長の開口部１１（図２、図４に一部図示）が形成されている。図２に示されるようにこの開口部１１の開口縁の上縁部分には、例えば全体に渡り、車室２側へ例えば略水平に突き出る帯板状の支持座１２が形成されている。つまり、支持座１２はドアトリム６から車室内へ突き出るように設けられる。そして、支持座１２を含みドアトリム１０の開口部１１を塞ぐように、アームレスト本体部１３が組み付けられている。このアームレスト本体部１３は、断面がＬ字形の本体壁を有して構成してある。この本体壁は、例えば開口部１１の上縁部に沿って配置され車室２内へ突き出る例えば横壁状のアームレスト上面部１４と、このアームレスト上面部１４の突出した端部と一体に連結されて下方へ延びる縦壁状のアームレスト側面部１５とを有している。アームレスト上面部１４は、アームレスト１０の上面部（乗員の腕が載る部分）をなし、アームレスト側面部１５は車室２内に面するアームレスト１０の側面部をなす部分である。なお、アームレスト上面部１４の全体は、例えば図１に示されるように例えば後部側の突き出し量が略一定で、前方へ向かうにしたがい突き出し量が減少する外形をなしている。そして、アームレスト上面部１４の端部１４ａが、ドアトリム６から突き出た支持座１２の上面に載置させてある。またアームレスト側面部１５の下端部１５ａは、例えばドアトリム６側へ湾曲して（あるいは逆Ｌ字状に曲がって）、アームレスト本体部１３の下側のドアトリム面６ａに近づいている。この下端部１５ａが例えばドアトリム６と一体に連結されてインナパネル面４ｃへ至り、アームレスト上面部１４を支持座１２とアームレスト側面部１５とで両側から支えている。この支持により、アームレストとしての機能、すなわち乗員の腕を載せておくのに必要な上下方向の支持剛性を確保させている。またＬ字形の本体壁（アームレスト上面部１４とアームレスト側面部とがなす壁）の車体後方側の開口部分は、図１および図３に示されるように開口部１１の後縁部から車室２内へ張り出しているドアトリム１０の後部壁１０ａで塞がれている。そして、これらアームレスト上面部１４およびアームレスト側面部１５の車体後方側の端部と後部壁１０ａとの間は、脆弱部、例えば切れ込みの有る連結部１７で連結されていて、中空のアームレスト本体部１３の全体を形成している。この連結構造により、アームレスト１０の側部１０ｂ（車内側に突き出る部分）へ車室内側から所定値以上の衝撃力（荷重）が加わると、アームレスト上面部１４とアームレスト側面部１５の後端部が、切れ込み部分から分離される構造にしてある。
【００１８】
また図２に示されるようにアームレスト上面部１４とアームレスト側面部１５とが連結するコーナー部１８（連結部に相当）付近（コーナー部１８を含む）、例えばコーナー部１８近傍となるコーナー部１８寄りのアームレスト側面部１５には、前後方向に沿って折れ曲げ起点部１９が形成されている。折れ曲げ起点部１９は、アームレスト１０の側部１０ｂ（車室内へ突き出ている部位）へ所定値以上の衝撃力（荷重）が加わると、アームレスト上面部１４が展開方向へ折れ曲がる起点を形成する部分である。この折れ曲げ起点部１９には、例えば図２に示されるようにアームレスト側面部１５の裏面（内面）に切欠部として例えば断面三角状の溝部１９ａをコーナー部１８に沿って一条形成して、溝部１９ａが存在する部分を折り曲げが生じやすい薄肉部分にした構造が用いられる。つまり、アームレスト１０の側部１０ｂへ所定値以上の衝撃力（荷重）が車室内側から入力されると、薄肉部分が破断して折れ曲がりが生じるようにしてある。この折れ曲がりにより、アームレスト上面部１４は、薄肉部分をヒンジ点として、端部１４ａが支持座１２から離れる動き、すなわちアームレスト上面部１４が上方向へ展開する挙動やアームレスト側面部１５が押し潰される挙動が誘発されるようにしている。つまり、アームレスト１０は、側部から衝撃力が入力されると、折れ曲げ起点部１９を支点として、アームレスト上面部１４とアームレスト側面部１５とが折れ曲がる構造にしてある。そして、このアームレスト上面部１５の動きが助長されるよう、ヒンジ点を挟んだアームレスト上面部１４の裏面（内面）やアームレスト側面部１５の裏面（内面）などには、加わる衝撃力がヒンジ点に集中して加わるよう、補強部、例えば車室内外方向に延びるリブ２０が複数、車体の前後方向に沿って形成してある。
【００１９】
またアームレスト本体部１３の各部には、この展開時におけるアームレスト上面部１５の上方向への移動を促進（助長）するための種々の促進部２１ａ〜２１ｄ（いずれも移動促進手段に相当）が設けてある。
【００２０】
促進部２１ａ〜２１ｄを説明すると、促進部２１ａ〜２１ｄは、いずれもアームレスト１０の展開の際、アームレスト上面部１４の端部１４ａの上方へ向かう移動を促す構造である。
【００２１】
すなわち、促進部２１ａには、例えば図２および図４に示されるようにアームレスト上面部１４の端部１４ａの先端部分に誘導用のガイド部分２２を形成した構造が用いてある。具体的にはガイド部分２２は、例えば支持座１２に載る端部１４ａの先端側に、車室外方向に向かうにしたがい斜め上方へ延ばした部分、例えば斜め上方へ傾斜した突片を形成した構造が用いてある。これにより、アームレスト１０の側部１０ｂに衝撃力が加わり、端部１４ａがトリム面６ａへ至ると、上向きに傾斜したガイド部分２２（突片）がトリム面６ａを伝わりながら上方へ向かうようにしてある、つまり、ガイド部分２２の挙動により、積極的にアームレスト上面部１４ａの端部を持ち上がらせて、アームレスト上面部１４の展開（上方向の移動）を促せるようにしてある。
【００２２】
促進部２１ｂには、例えば図２〜図４に示されるように端部１４ａの先端直上（上方）に配置されるトリム面部分の全域（図１中のαで示す部位）に渡り、上下方向に湾曲した曲面２４ａの凹面をもつ凹部２４が形成した構造が用いてある。これにより、アームレスト１０の側部１０ｂに衝撃力が加わり、端部１４ａがトリム面６ａへ至ると、端部１４ａの先端は、曲面２４ａで、トリム面６ａの上方へ向かうよう誘導されるようにしてある。つまり、曲面２４ａがもたらす挙動により、積極的にアームレスト上面部１４ａの端部を持ち上がらせて、アームレスト上面部１４の展開（上方向の移動）を促せるようにしてある。
【００２３】
促進部２１ｃは、例えば図２および図４に示されるように端部１４ａの先端から退避した地点、ここでは突片（ガイド部分２２）の基端部の全体に渡り、上下方向の向きに変位自在なヒンジ部２５を形成した構造が用いてある。具体的にはヒンジ部２５は、例えば図２に示されるように突片の基端部内面に該突片に沿って断面三角状の切込みを一条形成して、切込み部２５ａが存在する薄肉部分だけを上下方向に自在に折り曲げできる部分にしてなる。これにより、上向き傾斜した突片が切込み部２５ａを支点として上向き方向に変位できるようにしている。
同構造により、アームレスト１０の側部１０ｂに衝撃力が加わり、端部１４ａがトリム面６ａへ至ると、端部１４ａの先端の回動変位、ここでは突片が、切込み部２５ａを支点とした変位により、端部１４ａの端がトリム面６ａの上方へ向かうよう誘導されるようにしてある。つまり、切込み部２５ａがもたらす挙動により、積極的にアームレスト上面部１４ａの端部を持ち上がらせて、アームレスト上面部１４の展開（上方向の移動）を促せるようにしてある。
【００２４】
促進部２１ｄは、例えば図２および図４に示されるように支持座１２の先端部の全域に車室内へ向かうしたがい下方へ傾斜する傾斜部２６を形成し、端部１４ａの先端側の内面（裏面）に持ち上げ起点部２７（本願の持ち上がり部に相当）を形成した構造が用いてある。持ち上げ起点部２７には、端部１４ａの内面に、傾斜部２６の傾斜面２６ａと斜面が向き合うよう断面三角形状のリブ部２７ｂを形成した構造が用いてある。なお、２７ａはリブ部２７の傾斜面を示す。この傾斜部２６とリブ部２７ｂとの組み合わせにより、アームレスト１０の側部１０ｂへ車室内側から衝撃力が加わり、端部１４ａがトリム面６ａへずれると（端部１４ａがトリム面６ａへ向かう挙動）、リブ部２７ｂが傾斜部２６の傾斜面２６ａ上を変位するようにしてある。つまり、端部１４ａは、所定値以上の衝撃力が受けると、傾斜面２６ａにならって持ち上がるようにしてある。この端部１４ａの持ち上げにより、積極的にアームレスト上面部１４の展開（上方向の移動）を促せるようにしてある。
【００２５】
また図２に示されるように本体３ａのインナパネル４ｃと各アームレスト上面部１４およびアームレスト側面部１５とで囲まれる空間β（開口部１１を含む）には、同空間βを占めるように衝撃吸収部材２８が配設してある。
【００２６】
詳しくは、衝撃吸収部材２８は、例えば車体前後方向へ連続して細長く延びた角形の発泡部材（衝撃を受けると変形する部材）で形成してある。そして、この衝撃吸収部材２８の車室外側の端部が、開口部１１を貫通して、ドアインナパネル４ｂに固定、例えばドアインナパネル４ｂに形成して貫通孔２９を貫通して同貫通孔２９の開口縁に固定させてある。また衝撃吸収部材２８の車室内側の端部は、例えばアームレスト側面部１５の裏面（内面）と近接する地点まで延びている。この衝撃吸収部材２８が、空間βの大部分、具体的には例えば乗員と干渉しやすいアームレスト１０の領域γを占めるように収めてある。これにより、アームレスト側面部１５が衝撃力で押し潰されると、衝撃吸収部材２８が変形を生じるようにしてある。つまり、衝撃力の吸収（緩和）が行えるようにしてある。
【００２７】
こうした構造により、アームレスト１０に求められる性能を確保している。
【００２８】
すなわち、通常時のアームレスト１０は、アームレスト上面部１４の両側が、本体３ａで支持されるドアトリム６から突き出る支持座１２、ドアトリム６とつながるアームレスト側面部１５で支えられていることによって、乗員の腕を載せておくのに耐える剛性を確保している。つまり、通常時は、アームレスト機能に必要な剛性が確保される。
【００２９】
一方、例えば側突（車体１の側部が衝突）などにより、シートに着座している乗員の身体（いずれも図示しない）が、アームレスト１０の車室内へ突き出ている側部１０ｂに干渉し、この際、図４（ａ）に示されるようにアームレスト１０の側部１０ｂに車室内側から荷重Ｆが加わるとする。すると、アームレスト上面部１４やアームレスト側面部１５はたわみを生じる。このとき、入力される荷重Ｆが所定値以上であると、応力が集中する折れ曲げ起点部１９における支持剛性や連結部１７の切れ込み部分は、その荷重Ｆに支持剛性が耐えられなくなる。すると、切れ込み部分が破れる。また折れ曲げ起点部１９の薄肉部分は破断して、同部部に折れ曲がりが起きる。これにより、図４（ｂ）に示されるようにアームレスト上面部１４とアームレスト側面部１５は、折れ曲がり部１９が有る薄肉部分を支点として展開する方向へ折れ曲げられる。つまり、アームレスト上面部１４には展開しようとする挙動が誘発される。
【００３０】
一方、アームレスト上面部１４の端部１４ａは、展開が促進されるよう、促進部２１ａ〜２１ｄにて、上方への移動が促させられる。すなわち、図４（ａ），（ｂ）に示されるようにアームレスト上面部１４の端部１４ａは、斜め上方へ傾斜したガイド部分２２により持ち上げられたり、曲面２４ａにより持ち上げられたり、ヒンジ部２５により持ち上げられたり、リブ部２７ｂが傾斜部２６の傾斜面２６ａ上を移動することで持ち上げられたりする。
【００３１】
こうした端部１４ａの上方への移動により、アームレスト１０の展開は、加速的に進む。これにより、図４（ｂ）に示されるようにアームレスト１０の荷重Ｆの入力方向（横方向）の断面形状は急激に破断され、アームレスト１０の剛性の急激な低下を誘発する。すると、アームレスト上面部１４は折れ曲げ起点部１９を支点として上方へ大きく移動、アームレスト側面部１５は押し潰されるという、荷重入力方向（横方向）において大きな断面形状の変化が起きる。具体的には、図４（ｂ）に示されるようにアームレスト１０は、アームレスト上面部１４、アームレスト側面部１５および折れ曲がり起点部１９が上下方向に略直線状に連なる偏平状となるまで大きく変形する。
【００３２】
このときのアームレスト１０の剛性が急激に低下する挙動にて、入力される衝撃力のうち、初期の衝撃荷重が吸収される。そして、続くアームレスト上面部１４およびアームレスト側面部１５が図４（ｂ）に示されるように大きく変形、すなわち偏平状になるまで変形するときのアームレスト側面部１５の押し潰れを利用して、アームレスト１０に内蔵の衝撃吸収部材２８が変形を起こし、その後の衝撃荷重を吸収する。
【００３３】
これにより、座屈変形では奏し得ない、荷重入力方向（横方向）の大きな断面形状の変化を用いて、入力される衝撃力Ｆを、初期の衝撃荷重、その後の衝撃荷重といった具合に効果的に吸収することができる。
【００３４】
それ故、乗員の腕を載せるに必要な剛性の確保と、側面衝突時の十分な衝撃吸収性能との双方を確保することができる。しかも、折れ曲げ起点部１９には、溝部１９ａ（切欠部１９）を採用したので、構造が簡単であるうえ、深さを変えるだけで容易に衝撃吸収荷重の調整ができ、適切に初期の衝撃荷重の吸収ができる。
【００３５】
図５は、本発明の第２の実施形態を示す。
【００３６】
本実施形態は第１の実施形態の変形例である。同実施形態は、折り曲げ起点部１９を薄肉部分でなく、別途、継手部材、例えばヒンジ部材３０を介して、アームレスト上面部１４とアームレスト側面部１５とを展開可能に連結するという構造で構成したものである。
【００３７】
このようにしても第１の実施形態と同様の効果を奏する。但し、図５において、第１の実施形態と同じ部分には同一符号を附してその説明を省略した。
【００３８】
なお、本発明は上述した各実施形態に限定されるものではなく、本発明の主旨を逸脱しない範囲内で種々変更して実施してもよいことはいうまでもない。例えば上述した各実施形態では、アームレスト上面部とアームレスト側面部とのコーナー部近傍に折り曲げ起点部を設けた例を挙げたが、これに限らず、アームレスト上面部とアームレスト側面部とのコーナー部に折り曲げ起点部を設けてもよく、要は折り曲げ起点部を設ける位置は、アームレストの側部へ荷重が入力されたとき、当該折り曲げ起点部を支点にアームレスト上面部とアームレスト側面部とが展開する地点であればよい。また上述した実施形態は、車両のドアトリムに形成したアームレストに適用したが、これに限らず、ドアパネル部の壁面から直接、アームレストが突き出る構造でも、ドアでなく、車体の内壁面からアームレストが突き出る構造にも、本発明を適用してもよい。また、促進部２１ａ〜２１ｄは必ずしもすべての構成を有している必要はなく、いずれかを適宜に組み合わせたり、いずれか１つのみを有する構成としても良い。
【００３９】
【発明の効果】
以上説明したように請求項１に記載の発明によれば、通常時は、アームレスト上面部は、支持座、アームレスト側面部で支えられてアームレストとしての必要な剛性が確保される。また側面衝突時は、折れ曲げ起点部を支点としたアームレスト上面部、アーム側面部の展開により、座屈変形では奏し得ない、アームレストの荷重入力方向（横方向）の断面形状が大きく変化するという挙動により、アームレストの剛性が急激に低下して、初期の衝撃荷重を吸収し、続く衝撃吸収部材の変形により、その後の衝撃荷重を吸収する。
【００４０】
それ故、アームレストとしての剛性を確保しつつ、側面衝突時には十分な衝撃吸収性能が発揮できるアームレストを実現させることができる。
【００４１】
請求項２に記載の発明によれば、さらに請求項１の効果に加え、簡単な構造で、適切に初期の衝撃荷重の吸収ができるといった効果を奏する。
【図面の簡単な説明】
【図１】本発明の第１の実施形態に係るアームレスト構造を、車両のドアと共に示す斜視図。
【図２】図１中のＡ−Ａ線に沿うアームレストの断面図。
【図３】図１中のＢ部を拡大して示す一部切欠した斜視図。
【図４】アームレストが側部から衝撃を受けて展開するまでを説明するための断面図。
【図５】本発明の第２の実施形態に係るアームレスト構造を示す断面図。
【符号の説明】
２…車室、３…ドア、４ｂ…ドアインナパネル、４ｃ…インナパネル面（車室の内壁面）、６…ドアトリム、６ａ…トリム面、１０…アームレスト、１２…支持座、１４…アームレスト上面部、１５…アームレスト側面部、１８…コーナー部（連結部）、１９…折れ曲げ起点部、２０，２４，２５，２６，２７…ガイド部分，凹部，ヒンジ部，傾斜部，持ち上がり部（移動促進手段）、２８…衝撃吸収部材。
【図１】
2004291829.tif 000003
【図２】
2004291829.tif 000004
【図３】
2004291829.tif 000005
【図４】
2004291829.tif 000006
【図５】
2004291829.tif 000007